(57)【特許請求の範囲】
【請求項１】
室内熱交換器（１１）を有し、室内空気を取り入れ、前記室内熱交換器（１１）内の冷媒との間で熱交換を行った後の調整空気を室内に送風する室内空調ユニット（２）と、
室外に設置されており、前記室内熱交換器（１１）を冷媒の蒸発器として機能させる冷房運転モードおよびドライ運転モードにおいて、前記室内熱交換器（１１）の側に加熱空気を供給する加熱空気供給手段（４）と、
前記加熱空気供給手段（４）から前記室内空調ユニット（２）に加熱空気を搬送するための加熱空気用配管（７）と、
を備える空気調和機。
【請求項２】
前記加熱空気用配管（７）は、前記室内熱交換器（１１）の上流側に加熱空気吹出口（１２４）を備える、
請求項１に記載の空気調和機。
【請求項３】
前記加熱空気供給手段（４）は、加熱空気を生成するためのヒータを備え、加熱空気を生成する際の前記ヒータの周囲温度が６０℃以上となるように制御される、
請求項１又は２に記載の空気調和機。
【請求項４】
室外空気に含まれる水分を吸着し加熱されることにより吸着した水分を放出する吸湿部材（５８）と、前記吸湿部材（５８）から水分を離脱させるための加熱空気を生成するヒータ（６６）と、前記ヒータ（６６）によって生成される加熱空気を室内に供給する加熱空気搬送手段（７０）とを備える加湿ユニット（４）をさらに備え、
前記ヒータ（６６）および加熱空気搬送手段（７０）が、前記加熱空気供給手段を兼用することを特徴とする、
請求項１又は２に記載の空気調和機。
【請求項５】
前記加熱空気供給手段（４）は、前記冷房運転モードまたはドライ運転モード中の一定時間毎に室内側に加熱空気を供給するように構成される、
請求項１から４のいずれかに記載の空気調和機。
【発明の詳細な説明】
【０００１】
【発明の属する技術分野】
本発明は、冷媒回路内を循環する冷媒と、室内から取り入れた空気との間で熱交換を行い、室内に調整空気を供給する空気調和機に関する。
【０００２】
【従来の技術】
空気調和機では、室内空気を取り入れて熱交換器内を通過する冷媒との間で熱交換を行い、熱交換後の温度調整および湿度調整された調整空気を室内に供給するように構成される。
【０００３】
特に、セパレート型の空気調和機では、室外機内に配置される室外熱交換器と、室内機内に配置される室内熱交換器とが冷媒配管で接続され、各熱交換器が冷媒の凝縮器および蒸発器として作用するように制御することにより冷房運転、暖房運転またはドライ運転を行うように構成されている。
【０００４】
室外機内には、空気流を生成するための室外ファンが配置されており、この室外ファンによって外気を導入し、室外熱交換器の内部を通過する冷媒と空気との間で熱交換を行う。
【０００５】
同様に、室内機にも室内機ケーシング内部に空気流を生成する室内ファンが配置されており、この室内ファンのよって室内空気を吸い込んで、室内熱交換器の内部を通過する冷媒と空気との間で熱交換を行う。
【０００６】
【発明が解決しようとする課題】
上述したような空気調和機の冷房運転モードおよびドライ運転モードでは、室外熱交換器を凝縮器として機能させ、室内熱交換器を蒸発器として機能させる。冷房運転モードでは、室内熱交換器の内部を通過する冷媒が蒸発する際に、吸い込んだ室内空気から熱を奪って冷却することができる。また、ドライ運転モードでは、室内熱交換器の内部を通過する冷媒が蒸発する際に、室内空気中に含まれる水分が凝縮水として除去され、除湿された空気が室内に供給されることとなる。
【０００７】
このような冷房運転モードおよびドライ運転モードでは、室内機周辺、特に室内熱交換器周辺が相対湿度の高い状態となり、カビが発生し易くなる。この結果、室内交換器を通過した空気中にカビの胞子が含まれて室内に放出されてしまうおそれがあり、衛生上の問題がある。
【０００８】
本発明では、冷房運転モードやドライ運転モードにおいて空気調和機内におけるカビの発生を防止することを目的とする。
【０００９】
【課題を解決するための手段】
本発明に係る空気調和機は、室内空気を取り入れて熱交換器内の冷媒との間で熱交換を行った後の調整空気を室内に送風する空気調和機であって、熱交換器を冷媒の蒸発器として機能させる冷房運転モードおよびドライ運転モードを備え、冷房運転モードおよびドライ運転モードにおいて、熱交換器側に加熱空気を供給する加熱空気供給手段をさらに備える。
【００１０】
この場合、冷房運転モードやドライ運転モードにおいて空気調和機内のカビの発生を防止できる。
ここで、室外熱交換器を含む室外冷媒回路を有する室外空調ユニットと、室内熱交換器を含む室内冷媒回路を有する室内空調ユニットとを備え、冷房運転モードおよびドライ運転モードは室外熱交換器を凝縮器とし室内熱交換器を蒸発器として機能させる構成とすることができる。
【００１１】
この場合、蒸発器として機能する室内熱交換器に加熱空気を供給することによって、室内空調ユニットにおけるカビの発生を抑制することができる。
また、加熱空気供給手段は室外に設置されており、加熱空気供給手段から室内空調ユニットに加熱空気を搬送するための加熱空気用配管を備える構成とすることができる。
【００１２】
この場合、加熱空気供給手段の運転時において発生する音が室内側に影響することを抑制できる。
さらに、加熱空気用配管は室内熱交換器の上流側に加熱空気吹出口を備える構成とすることができる。
【００１３】
この場合、室内熱交換器に対して加熱空気の供給を行えるので、室内熱交換器におけるカビの発生を防止することができる。
加熱空気供給手段は、加熱空気を生成するためのヒータを備え、加熱空気を生成する際のヒータの周囲温度が６０℃以上となるように制御するように構成できる。
【００１４】
この場合、細菌やカビを殺菌した状態で加熱空気を室内機側に送り込むことができ、熱交換器付近のカビの発生を防止できる。
また、室外空気に含まれる空気を吸着し加熱されることにより吸着した水分を放出する吸湿部材と、吸湿部材から水分を離脱させるための加熱空気を生成するヒータと、ヒータによって生成される加熱空気を室内に供給する加熱空気搬送手段とを備える加湿ユニットを備え、ヒータおよび加熱空気搬送手段が加熱空気供給手段を兼用するように構成できる。
【００１５】
この場合、加熱空気供給手段を別途設けることなく、熱交換器付近のカビの発生を防止することが可能となる。
さらに、加熱空気供給手段は、冷房運転モードまたはドライ運転モード中の一定時間毎に室内側に加熱空気を供給するように構成することができる。
【００１６】
この場合、一定時間毎に乾燥した加熱空気を供給しており、確実にカビの発生を防止することができる。
【００１７】
【発明の実施の形態】
〔空気調和機の外観〕
本発明の１実施形態が採用される空気調和機の外観を図１に示す。
【００１８】
この空気調和機１は、室内の壁面などに取り付けられる室内機２と、室外に設置される室外機３と備えている。室外機３は、室外熱交換器や室外ファンなどを収納する室外空調ユニット５と、加湿空気を室内機２に搬送する加湿ユニット４とを備えている。
【００１９】
室内機２内には室内熱交換器が収納され、室外機３内には室外熱交換器が収納されており、各熱交換器が冷媒配管６により接続されることにより冷媒回路を構成している。また、加湿ユニット４と室内機２との間には、加湿ユニット４からの加湿空気を室内機２側に供給するための加湿空気用配管７が設けられている。
【００２０】
〔冷媒回路の概略構成〕
空気調和機１で用いられる冷媒回路の一例を、図２に示す。
室内機２内には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００２１】
また、室内機２内には、室内空気を吸い込んで室内熱交換器１１との間で熱交換を行った後の空気を室内に排出するためのクロスフローファン１２が設けられている。クロスフローファン１２は、円筒形状に構成され、周面には回転軸方向に羽根が設けられているものであり、回転軸と交わる方向に空気流を生成する。このクロスフローファン１２は、室内機２内に設けられるファンモータ１３によって回転駆動される。
【００２２】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁でなる減圧器２５とが設けられている。減圧器２５は、フィルタ２６および液閉鎖弁２７を介して現地配管３１に接続されており、この現地配管３１を介して室内熱交換器１１の一端と接続される。また、四路切換弁２２は、ガス閉鎖弁２８を介して現地配管３２に接続されており、この現地配管３２を介して室内熱交換器１１の他端と接続されている。この現地配管３１，３２は図１の冷媒配管６に相当する。
【００２３】
室外空調ユニット５内には、室外熱交換器２４での熱交換後の空気を外部に排出するためのプロペラファン２９が設けられている。このプロペラファン２９は、ファンモータ３０によって回転駆動される。
【００２４】
〔室外機の構成〕
室外機３の構成を図３に示す分解斜視図を用いて説明する。
室外機３は、底板４１、右側板４２、左側板４３、前板４４、保護金網４６、天板４７、加湿ユニットケーシング４８などを含む室外機ケーシングを備えている。
【００２５】
前板４４の後方には、ファン吸込口４５と仕切板４９が取り付けられる。また、室外機ケーシングの後面に位置する保護金網４６の前面には平面視略Ｌ字形状でなる室外熱交換器２４が取り付けられる。
【００２６】
室外熱交換器２４の前面にはファンモータ台５０が取り付けられており、このファンモータ台には室外ファンモータ３０が固定される。この室外ファンモータ３０には室外ファン２９が取り付けられる。室外ファン２９は、室外ファンモータ３０により駆動されることで、ファン吸込口４５、仕切板４９、左側板４３、室外熱交換器２４および加湿ユニットケーシング４８の底板によって形成される空間内に負圧を形成し、後面および左側面から導入した空気を室外熱交換器２４と接触させた後、前板４４の前面に排気する。
【００２７】
仕切板４９と右側板４２との間には、圧縮機２１、四路切換弁２２、電動弁２５、液管閉鎖弁２７、ガス管閉鎖弁２８などの冷媒回路構成部品と、各部の温度を検出するためのサーミスタ５１などが配置されている。右側板４２の右側方には、液管閉鎖弁２７、ガス管閉鎖弁２８を保護するための閉鎖弁カバー５２が取り付けられる。
【００２８】
室外ファン２９の上方には、電装品箱５３が取り付けられる、この電装品箱５３には、各部を制御するための回路部品を搭載したプリント基板５４が収納され、回路部品で生じた熱を放熱するための放熱フィン５５が取り付けられている。
【００２９】
加湿ユニット４は、室外機３の上部に位置する加湿ユニットケーシング４８を備えている。この加湿ユニットケーシング４８内には、加湿ロータ５８が配置されている。加湿ロータ５８は、接触する空気中の水分を吸着し、加熱されることによって吸着した水分を離脱する性質を有する多孔質のゼオライトなどを円盤形状にしたものであり、加湿ユニットケーシング４８側に設けられた支持軸５９にロータガイド６０を介して回動可能に支持される。加湿ロータ５８の周面には、ギヤが形成されており、ロータ駆動モータ６１の駆動軸に取り付けられるロータ駆動ギヤ６２と歯合している。
【００３０】
加湿ロータ５８の上面を略半分覆うようにヒータ組立体６４が配置されている。ヒータ組立体６４は、ヒータ本体６６と、ヒータ本体６６をカバーする上部カバー６５と、空気を吸入するための吸入口６７およびヒータ本体６６で加熱された空気を排出する排出口６８を有する下部カバー６９とからなり、ヒータ固定板６３を介して加湿ロータ５８の上方に取り付けられる。
【００３１】
加湿ロータ５８の下方であってヒータ組立体６４に対応する位置に、加湿ファン７０が配置されている。加湿ファン７０は、加湿側連絡ダクト７２に連なるケーシング内に配置される遠心ファンであり、加湿ロータ５８下方に取り付けられる加湿ファン吸込口７１に一体的に設けられる。加湿ファン７０は、加湿ロータ５８を通過した空気を加湿側連絡ダクト７２側に排気し、加湿ホース７３および連絡配管６内に配置される加湿空気用配管を介して室内機２側に加湿空気を送出する。
【００３２】
加湿ロータ５８の上面であってヒータ組立体６４が位置しない部分を覆うように、吸着側連絡ダクト７４が設けられている。この吸着側連絡ダクト７４は、加湿ロータ５８の下部から加湿ロータ５８を通過して、加湿ロータ５８の収納部に隣接する吸着ファン収納部７５に至る空気流路を形成する。
【００３３】
吸着ファン収納部７５の上方には、吸着側連絡ダクト７４によって形成される空気流路に接続する開口部８５を有する吸着側ベルマウス８４が設けられている。吸着ファン収納部７５には、吸着ファン８１が回動自在に収納されている。この吸着ファン８１は、上部に配置される吸着側ベルマウス８４から吸気して、吸着ファン収納部７５の外部に向けて排気するように構成された遠心ファンである。吸着ファン８１は、吸着ファンモータ８３によって回転駆動される。吸着ファンモータ８３はモータ固定台８２によって加湿ユニットケーシング４８内に固定される。
【００３４】
さらに、加湿ユニットケーシング４８内には、プリント基板７８を内部に収納する電装品箱７６と電装品箱蓋７７でなる電装品ケーシングおよび電源基板７９などが配置される。
【００３５】
このようにした加湿ユニット４では、吸着ファン８１を回転駆動することによって、外部からの空気を取り入れ、加湿ロータ５８の一部を通過して吸着側連絡ダクトおよび吸着ファン８１を介して外方に排出される空気流を生成する。外部から取り入れられた空気が加湿ロータ５８を通過する際に、加湿ロータ５８は空気中に含まれている水分を吸着する。
【００３６】
この吸着工程で吸着した水分を離脱させるために、ロータ駆動モータ６１によりロータ駆動ギア６２を介して加湿ロータ５８を回転駆動する。このことにより、加湿ロータ５８の水分を吸着した領域が、加湿ファン７０によって生成される空気流中に移動することとなる。
【００３７】
ここで、加湿ファン７０を回転駆動することによって、外部から空気を取り入れ、加湿ロータ５８を下方から上方に向けて通過し、下部カバー６９の吸入口６７から上部カバー６５内に導入され、排出口６８から排出されて加湿ロータ５８を上方から下方に再度通過して、加湿ファン７０を介して加湿側連絡ダクト７２側に排気される空気流を生成する。このとき、外部から導入された空気流は、ヒータ組立体６４の上部カバー６５内に位置するヒータ本体６６に接触して加熱される。したがって、加湿ファン７０が生成する空気流によって、加湿ロータ５８に吸着されている水分を離脱して、加湿空気として室内機２側に供給することが可能となる。
【００３８】
〔室内空調ユニット〕
室内機２の分解斜視図を図４に示す。
図４において、室内機２は、前面グリル組立体１０１と、前面グリル組立体１０１の正面に装着される前面パネル１０２とを有している。前面グリル組立体１０１は、その上面に多数のスリット状開口部を形成する上部吸込口１０３を備えている。また、前面パネル１０２は上方および側方に開口する前面吸込口１０４が形成されている。
【００３９】
前面グリル組立体１０１の上部吸込口１０３内方および前面パネル１０２の前面吸込口１０４内方に位置して、空気清浄用のエアフィルタ１０５が挿入される。
【００４０】
前面グリル組立体１０１は、後方に位置する底フレーム組立体１０６に取り付けられて、内部部品を内装するケーシングを構成することとなる。この前面グリル組立体１０２よおび底フレーム組立体１０６で構成されるケーシングは、室内の壁面に固定される据付板１０７に係止されて室内に取り付けられる。
【００４１】
底フレーム組立体１０６には、クロスフローファン１２を収納するファン収納部１０９が設けられている。このファン収納部１０９には、クロスフローファン１２が軸受部材１１０を介して回動自在に取り付けられ、軸受部材１１０と対向する側面には室内ファンモータ１３が設けられる。室内ファンモータ１３のさらに外方には側板１１１が取り付けられる。
【００４２】
クロスフローファン１２の前方、上方および後部上方を取り囲むように室内熱交換器１１が取り付けられる。この室内熱交換器１１は、左右両端で複数回折り返された伝熱管に多数の放熱フィンが取り付けられたものであり、クロスフローファン１２の駆動により上部吸込口１０３および前面吸込口１０４から吸い込まれた空気をクロスフローファン１２側に通過させ、伝熱管内部を通過する冷媒との間で熱交換を行わせる。この室内熱交換器１１は、連絡配管６から分岐された冷媒配管１０８が接続される。
【００４３】
室内熱交換器１１の下方には、熱交換時に発生する凝縮水を受け取るためのドレンパン１１２が設けられている。このドレンパン１１２には、受け取った凝縮水を外部に排出するためのドレンホース１１３が取り付けられている。冷房運転時には、室内熱交換器１１は蒸発器として作用するため、室内熱交換器１１と接触する空気中に含まれる水分が凝縮して滴下する。このような凝縮水をドレンパン１１２で受け取ってドレンホース１１３によって排水するように構成されている。
【００４４】
前面グリル組立体１０１の前面下部には制御回路などを搭載するプリント基板が収納される電装品箱１１４と、電装品箱１１４の前面をカバーする電装品蓋１１５が設けられている。さらに、電装品箱１１４の下方にはクロスフローファン１２によって生成される空気流の吹出口が設けられている。この吹出口には、水平羽根１１６，１１６と、垂直羽根連結棒１１８で連結された複数の垂直羽根１１７，１１７とが揺動可能に設けられている。この水平羽根１１６，１１６は水平羽根作動モータ１１９によって回転駆動され、垂直羽根１１７，１１７は垂直羽根作動モータ１２０によって回転駆動されるように構成されている。
【００４５】
底フレーム組立体１０６の一方の側面には、ダクト組立体１２１が取り付けられている。ダクト組立体１２１は、下方に位置する加湿ホース接続部１２２と、中間に位置する流路形成部１２３と、上方に位置する加湿空気吹出口１２４とを備えている。このダクト組立体１２１の加湿ホース接続部１２２には、連絡配管６から分岐された加湿空気用配管が接続され、加湿ユニット４から供給される加湿空気を導入する。中間部に位置する流路形成部１２３は、加湿空気を通過させるための中空部を構成しており、加湿ホース接続部１２２から導入された加湿空気を先端方向に搬送し、加湿空気吹出口１２４からクロスフローファン１２によって生成された空気流中に放出する。
【００４６】
〔制御部〕
室外空調ユニット５、室内空調ユニット２および加湿ユニット４の制御ブロック図の一例を図５に示す。
【００４７】
室外空調ユニット５は、マイクロプロセッサ、ＲＯＭ、ＲＡＭ、各種インターフェイスなどを含む室外ユニット制御部５０１を備えている。
室外ユニット制御部５０１は、吐出側圧力保護スイッチ５０２、吐出管サーミスタ５０３、吸入側圧力センサ５０４、外気サーミスタ５０５、室外熱交サーミスタ５０６などの各種センサが接続されており、各センサの検出信号が入力される。
【００４８】
また、室外ユニット制御部５０１は、接続される圧縮機２１、四路切換弁２２、電動弁２５、室外ファンモータ３０などに制御信号を供給することによって運転中の各部の制御を行うように構成されている。
【００４９】
室内空調ユニット２は、マイクロプロセッサ、ＲＯＭ、ＲＡＭ、各種インターフェイスなどを含む室内ユニット制御部２０１を備えている。
室内ユニット制御部２０１は、液管サーミスタ２０２、ガス管サーミスタ２０３、室内熱交サーミスタ２０４、室温センサ２０５などの各種センサが接続されており、各センサの検出信号が入力される。
【００５０】
また、室内ユニット制御部２０１は、接続される室内ファンモータ１３、水平羽根作動モータ１１９、垂直羽根作動モータ１２０、表示部２０６、赤外線送受信部２０７などに接続されており、各部に対して制御信号を供給することによって運転中の各部の制御を行うように構成されている。
【００５１】
加湿ユニット４は、マイクロプロセッサ、ＲＯＭ、ＲＡＭ、各種インターフェイスなどを含む加湿ユニット制御部４０１を備えている。
加湿ユニット制御部４０１は、ヒータ部サーミスタ４０２などのセンサが接続されており検出信号が入力される。
【００５２】
また、加湿ユニット制御部４０１は、ロータ駆動モータ６１、ヒータ本体６６、加湿ファンモータ４０３、吸湿ファンモータ８３などに接続されており、各部に対して制御信号を供給することによって運転中の各部の制御を行うように構成されている。
【００５３】
このように、加湿ユニット４内において各部を制御するための加湿ユニット制御部４０１を備える場合には、室外空調ユニット５からＡＣ電源を供給し、加湿オン・オフ信号を送信するだけで、加湿ユニット４側で加湿運転制御を行うように構成することができる。
【００５４】
〔空調運転制御〕
室内空調ユニット２、室外空調ユニット５、加湿ユニット４内の各制御部により、暖房運転、冷房運転、ドライ運転、加湿運転などの各運転モードによる運転制御が行われる。この運転制御の概略を図６の制御フローチャートに基づいて説明する。
【００５５】
電源がオンされて動作が開始されると、ステップＳ１１において各部の初期化を行う。
ステップＳ１２では暖房指令があったか否かを判別する。リモコンからの暖房指令を受けた場合やリモコンから自動運転指令を受けて暖房運転が必要であると判断した場合には、暖房指令があったと判断してステップＳ１３に移行する。ステップ１３では、室内熱交換器１１が凝縮器として機能し、室外熱交換器２４が蒸発器として機能するように四路切換弁２２を切り換え、設定される目標温度と現在の室内温度などに応じて、圧縮機２１の運転周波数、室内ファンモータ１３の回転数、室外ファンモータ３０の回転数などを制御して、暖房運転を開始する。
【００５６】
ステップＳ１４では加湿運転指令があったか否を判別する。リモコンからの加湿指令を受けた場合やリモコンから加湿自動運転指令を受けて加湿運転が必要があると判断した場合には、加湿指令があったと判断してステップＳ１５に移行する。ステップＳ１５では、加湿ユニット４内のロータ駆動モータ６１、ヒータ本体６６、加湿ファンモータ４０３、吸湿ファンモータ８３を駆動して加湿運転を開始する。ここでは、吸湿ファン８１によって外部から導入した空気中に含まれる水分を加湿ロータ５８に吸着し、ヒータ本体６６の加熱により加湿ロータ５８から離脱した水分を加湿ファン７０によって室内空調ユニット２に供給する。
【００５７】
ステップＳ１６では冷房指令があったか否かを判別する。リモコンからの冷房指令を受けた場合やリモコンから自動運転指令を受けて冷房運転が必要であると判断した場合には、冷房指令があったと判断してステップＳ１７に移行する。ステップ１７では、室内熱交換器１１が蒸発器として機能し、室外熱交換器２４が凝縮器として機能するように四路切換弁２２を切り換え、設定される目標温度と現在の室内温度などに応じて、圧縮機２１の運転周波数、室内ファンモータ１３の回転数、室外ファンモータ３０の回転数などを制御して、冷房運転を開始する。
【００５８】
ステップＳ１８ではドライ運転指令があったか否かを判別する。リモコンからのドライ運転指令を受けた場合やリモコンから自動運転指令を受けてドライ運転が必要であると判断した場合には、ドライ運転指令があったと判断してステップＳ１９に移行する。ステップ１９では、冷房運転モードと同様に、室内熱交換器１１が蒸発器として機能し、室外熱交換器２４が凝縮器として機能するように四路切換弁２２を切り換え、設定される目標湿度と現在の室内湿度などに応じて、圧縮機２１の運転周波数、室内ファンモータ１３の回転数、室外ファンモータ３０の回転数などを制御して、ドライ運転を開始する。
【００５９】
ステップＳ２０では、運転停止を行うか否かを判別する。リモコンから運転停止指令を受けた場合、タイマ設定による停止を行う場合、装置異常による緊急停止を行う場合には、ステップＳ２２に移行する。ステップＳ２２では、装置の停止処理を実行する。
【００６０】
〔冷房運転・ドライ運転時の加熱制御〕
冷房運転モードおよびドライ運転モードを実行している場合には、室内空調ユニット２内におけるカビの発生や細菌の繁殖を防止するために、一定時間毎に加湿ユニット４から加熱空気を供給するように構成している。この加熱空気供給動作を図７に示す制御フローチャートに基づいて説明する。
【００６１】
ステップＳ３１では、運転開始直後であるか否かを判別する。冷房運転モードまたはドライ運転モードの開始直後である場合にはステップＳ３２に移行する。
ステップＳ３２では、加熱空気供給動作の時間間隔を計測するための第１タイマをリセットしカウントを開始する。
【００６２】
ステップＳ３３では、第１タイマのカウント値が第１の所定値に達したか否かを判別する。第１タイマのカウント値が第１の所定値に達した場合には、冷房運転またはドライ運転を開始してから第１所定時間を経過したと判断しステップＳ３４に移行する。
【００６３】
ステップＳ３４では、加湿ユニット４内のヒータ本体６６をオンし、加湿ファンモータ４０３をオン状態とする。このとき、吸湿ファンモータ８３およびロータ駆動モータ６１はオフ状態とする。このことにより、加湿ファン７０によって外部から導入された空気は、ヒータ本体６６によって加熱され、室内空調ユニット２側に供給される。加湿ロータ５８は回転しておらず、また吸湿ファン８１も回転駆動されていないため、加湿ロータ５８から水分が放出されることがなく、加湿ファン７０によって室内空調ユニット２に供給される空気は、加熱された乾燥空気となる。
【００６４】
ここで、ヒータ本体６６の周囲温度が６０℃以上となるようにヒータ本体６６の温度制御を行うことが好ましい。この場合には、加熱殺菌された乾燥空気を室内空調ユニット２に供給することができ、室内熱交換器１１およびその周辺におけるカビや細菌の繁殖を防止することが可能となる。
【００６５】
ステップＳ３４では、さらに、加熱空気供給動作を開始してからの経過時間を計測するための第２タイマをリセットしカウントを開始させる。
ステップＳ３５では、第２タイマのカウント値が第２の所定値に達したか否かを判別する。第２タイマのカウント値が第２の所定値に達した場合には、加熱空気供給動作を開始してから第２所定時間を経過したと判断しステップＳ３６に移行する。
【００６６】
ステップＳ３６では、ヒータ本体６６および加湿ファンモータ４０３をオフ状態とし、加熱空気供給動作を停止する。
〔加湿ユニットによる加熱空気供給動作の作用・効果〕
前述したような実施形態では、室内空調ユニット２内に加湿空気を供給するための加湿ユニット４を利用して、冷房運転モードまたはドライ運転モードの際に一定時間毎に室内空調ユニット２内に加熱空気を供給するように構成している。この場合、冬期乾燥時などの加湿運転のために加湿ユニット４を利用して、冷房・ドライ運転時の加熱殺菌空気の供給を行っており、加熱空気供給手段を別途設ける必要がなく、コストアップを招くことなく、室内空調ユニット２内の殺菌効果を得ることが可能となる。ヒータ本体６６の周囲温度が６０℃以上となるように温度制御を行っているため、細菌やカビを殺菌した状態で加熱空気を室内機側に送り込むことができる。
【００６７】
冷房運転モードまたはドライ運転モード中の加熱空気供給動作の間隔を設定するための第１の所定値および加熱空気供給の動作時間を設定するための第２の所定値は適宜設定することができ、実験的に得られる値が予めデフォルト値として設定される。
【００６８】
〔他の実施形態〕
（Ａ）加熱空気を生成するヒータと、ヒータによって加熱された空気を室内空調ユニット２内に供給するための加熱空気供給用ファンとを備えた加熱空気供給装置を設ける構成とすることができる。この場合、加湿ユニット４を備える構成、加湿ユニット４を備えていない構成のいずれであってもよい。
（Ｂ）室内外一体型の空気調和機において、加湿空気を室内側に供給するための加湿ユニットを設け、冷房運転モードまたはドライ運転モードの際に加湿ユニットから加熱空気を供給するように構成することも可能である。
（Ｃ）室内外一体型の空気調和機において、加熱空気を生成するヒータと、ヒータによって加熱された空気を室内側に供給するための加熱空気供給用ファンとを備えた加熱空気供給装置を設けることも可能である。
（Ｄ）上述の実施形態では、タイマにより自動的に加熱空気の供給運転を行うように構成しているが、リモコンや室内機内に加熱空気供給運転のスイッチを設けておき、ユーザがこのスイッチを操作することにより適宜加熱空気供給運転を開始させることができるように構成できる。
【００６９】
また、室内機内に加熱空気自動運転の入切スイッチを設けておき、このスイッチの操作により加熱空気供給運転の制御の有効・無効を選択できるように構成することも可能である。
【００７０】
【発明の効果】
本発明の請求項１に係る空気調和機では、冷房運転モードおよびドライ運転モードにおいて、加熱空気供給手段により加熱殺菌空気を供給するように構成しているため、カビの発生や細菌の繁殖を防止することができる。
【００７１】
請求項２に係る空気調和機では、蒸発器として機能する室内熱交換器に加熱空気を供給することによって、室内空調ユニットにおけるカビの発生を抑制することができる。
【００７２】
請求項３に係る空気調和機では、加熱空気供給手段の運転時において発生する音が室内側に影響することを抑制できる。
請求項４に係る空気調和機では、室内熱交換器に対して加熱空気の供給を行えるので、室内熱交換器におけるカビの発生を防止することができる。
【００７３】
請求項５に係る空気調和機では、細菌やカビを殺菌した状態で加熱空気を室内機側に送り込むことができ、熱交換器付近のカビの発生を防止できる。
請求項６に係る空気調和機では、加熱空気供給手段を別途設けることなく、熱交換器付近のカビの発生を防止することが可能となる。
【００７４】
請求項７に係る空気調和機では、一定時間毎に乾燥した加熱空気を供給しており、確実にカビの発生を防止することができる。
【図面の簡単な説明】
【図１】本発明の１実施形態が採用される空気調和機の外観構成を示す斜視図。
【図２】冷媒回路の説明図。
【図３】室外機の分解斜視図。
【図４】室内機の分解斜視図。
【図５】１実施形態の制御ブロック図。
【図６】その制御フローチャート。
【図７】加熱空気供給動作の制御フローチャート。
【符号の説明】
３  室外機
４  加湿ユニット
５  室外空調ユニット
６  連絡配管
１１  室内熱交換器
【図１】
0003564526.tif 000002
【図２】
0003564526.tif 000003
【図３】
0003564526.tif 000004
【図４】
0003564526.tif 000005
【図５】
0003564526.tif 000006
【図６】
0003564526.tif 000007
【図７】
0003564526.tif 000008